(57)【要約】【課題】ガムなどのように一定の大きさを持つ多数の内容物を収納したケースをスライド方式で簡便に開閉し、ケースを傾けることで、内容物を少量ずつ手軽に取り出すことができるスティック型容器を提供する。【解決手段】外側の第１ケース１１０内に、内容物を収納することが可能な第２ケース１２０が直線移動可能に挿入され、前記第１ケース１１０は、その先端部に第２ケース１２０の先端部が出入する出入口１１１が形成され、その後端部に第２ケース１２０の後端部を露出する開口部１１２が形成され、前記第２ケース１２０は、内部に収納した複数の内容物を一定量だけ排出することができる排出口１２２がその先端部に形成される。【選択図】  図１
0003202771.tif 000002
【実用新案登録請求の範囲】
【請求項１】
外側の第１ケース内に、内容物を収納することが可能な第２ケースが直線移動可能に挿入され、前記第１ケースは、その先端部に第２ケースの先端部が出入する出入口が形成され、その後端部に第２ケースの後端部を露出する開口部が形成され、前記第２ケースは、内部に収納した複数の内容物を一定量だけ排出することができる排出口がその先端部に形成されることを特徴とする、スティック型容器。
【請求項２】
前記第２ケースの先端部には、第１ケースの出入口に密着可能な外周面を持つ固定栓が設けられ、前記固定栓は、第２ケースが第１ケースに完全に挿入されるとき、前記出入口に密着することを特徴とする、請求項１に記載のスティック型容器。
【請求項３】
前記開口部は第１ケースの後端部において上側から下側に斜めに形成され、第１ケースに完全に挿入された第２ケースの後端部が前記開口部を介して第１ケースの外方に突出することを特徴とする、請求項１に記載のスティック型容器。
【請求項４】
前記第１ケースの開口部の後端に、第１ケースの内部にスライド挿入される第２ケースの移動を制限するストッパーが形成されることを特徴とする、請求項１に記載のスティック型容器。
【請求項５】
前記第１ケースの先端部には、第１ケースの内部にスライド挿入される第２ケースの移動を制限する係止段部が形成されることを特徴とする、請求項１に記載のスティック型容器。
【請求項６】
前記第２ケースは、第１ケースの開口部を介して露出した後端部に所定の傾きの傾斜面を持つプッシュ部が形成されることを特徴とする、請求項１に記載のスティック型容器。
【請求項７】
前記第２ケースは、所定の大きさを持つ複数の内容物を収納することができる内部空間を持ち、前記内部空間をその長手方向に対して左右両側に二分割する第１傾斜壁が形成され、内部空間に収納した内容物を２列で配列することができることを特徴とする、請求項１に記載のスティック型容器。
【請求項８】
前記第２ケースは、内部空間をその長手方向に対して左右両側に二分割する第１傾斜壁が斜めに形成され、前記第１傾斜壁から所定の間隔を置いて第２傾斜壁が斜めに形成され、内部に収納した内容物が一方側に傾いた状態で２列で配列されることを特徴とする、請求項１に記載のスティック型容器。 
【考案の詳細な説明】
【技術分野】
【０００１】
本考案はガムなどの内容物の取り出しを簡便にしたスティック型容器に関する。
【背景技術】
【０００２】
一般に、ガムのようなおやつ類の飲食物は軽いプラスチック容器に入れて密閉状態で保管するように製造された後、容器を開放してからガムを取り出して食べることになる。
【０００３】
添付の図７及び図８は従来の一般的なガム収納容器の斜視図及び断面図を示したものである。
【０００４】
図７及び図８に示したように、従来のガム収納容器は、上端に開口部３を持ち、内部に内容物のガムを収納することが可能な空間を持つ胴体１と、前記胴体１の上端部に脱着可能に結合され、開口部３を開閉する蓋２とからなっている。
【０００５】
この際、容器の材質（通常、プラスチック）及び製作工程の特性上、直径が小さい部分であるほど優れた強度を持つので、前記開口部３は胴体１の直径に比べて小さな直径を持つように形成される。
【０００６】
消費者は、前記のような従来のガム収納容器を用いたガム製品を購入して食べる場合、蓋２の下面に付着される開栓防止型引裂部（ｐｉｌｆｅｒ−ｐｒｏｏｆ ｔｅａｒ）を除去した後、蓋２を掴んで上げることで蓋２を開栓し、蓋２を開栓した後、開口部３を通じて内容物を取り出して食べることができることになる。
【０００７】
前記のようなガム収納容器の場合、開栓後、内部に収納されたガムを取り出して食べるためには、通常は開かれた開口部３内に指を直接入れてガムを取り出し、あるいは開栓された開口部３を手の平に当てて傾けることで、ガムを取り出すことになる。
【０００８】
ところが、従来のガム収納容器は、内容物を取り出す際、開かれた開口部３内に指を直接入れて取り出す場合、他のガム（取り出そうとするガムの周りにあるガム）にも指が触れることになって非衛生的であり、さらに開栓された開口部３を手の平に当ててから傾けてガムを取り出す場合、多数のガムが同時に溢れ出るから、多量の内容物が露出した状態で手で一つずつ摘んで食べなければならないため非衛生的であり、１〜２錠ずつ少量を取り出して食べることが不便であるという欠点がある。
【考案の概要】
【考案が解決しようとする課題】
【０００９】
本考案は前記のような点に鑑みてなされたもので、ガムなどのように一定の大きさを持つ多数の内容物を収納したケースをスライド方式で簡便に開閉し、ケースを傾けることで、内容物を少量ずつ手軽に取り出すことができるスティック型容器を提供することにその目的がある。
【課題を解決するための手段】
【００１０】
前記のような目的を達成するために、本考案は、外側の第１ケース内に、内容物を収納することが可能な第２ケースが直線移動可能に挿入され、前記第１ケースは、その先端部に第２ケースの先端部が出入する出入口が形成され、その後端部に第２ケースの後端部を露出する開口部が形成され、前記第２ケースは、内部に収納した複数の内容物を一定量だけ排出することができる排出口がその先端部に形成されることを特徴とするスティック型容器を提供する。
【００１１】
本考案では、前記第２ケースの先端部には、第１ケースの出入口に密着可能な外周面を持つ固定栓が設けられ、前記固定栓は、第２ケースが第１ケースに完全に挿入されるとき、前記出入口に密着することができる。
【００１２】
また、本考案では、前記開口部は第１ケースの後端部において上側から下側に斜めに形成され、第１ケースに完全に挿入された第２ケースの後端部が前記開口部を介して第１ケースの外方に突出することができる。
【００１３】
また、本考案では、前記第１ケースの開口部の後端に、第１ケースの内部にスライド挿入される第２ケースの移動を制限するストッパーが形成されることができる。
【００１４】
また、本考案では、前記第１ケースの先端部には、第１ケースの内部にスライド挿入される第２ケースの移動を制限する係止段部が形成されることができる。
【００１５】
また、本考案では、前記第２ケースは、第１ケースの開口部を介して露出した後端部に所定の傾きの傾斜面を持つプッシュ部が形成されることができる。
【００１６】
また、本考案では、前記第２ケースは、所定の大きさを持つ複数の内容物を収納することができる内部空間を持ち、前記内部空間をその長手方向に対して左右両側に二分割する第１傾斜壁が形成され、内部空間に収納した内容物を２列で配列することができる。
【００１７】
また、本考案では、前記第２ケースは、内部空間をその長手方向に対して左右両側に二分割する第１傾斜壁が斜めに形成され、前記第１傾斜壁から所定の間隔を置いて第２傾斜壁が斜めに形成され、内部に収納した内容物が一方側に傾いた状態で２列で配列されることができる。
【考案の効果】
【００１８】
本考案によると、第２ケースの先端部を第１ケースの外方に押し出してから一方の側方に傾ければ、第１ケースの外方に押し出された第２ケースの排出口から少量（１〜２個）の内容物が取り出されるので、従来のプラスチック容器より簡便に開栓することができ、一度に食べられる量だけ少量ずつ取り出されるので、残った内容物に手が触れることなく衛生的に食べることができる。
【図面の簡単な説明】
【００１９】
【図１】本考案の実施例によるスティック型容器を示した分解斜視図である。
【図２】本考案の実施例によるスティック型容器を示した結合斜視図である。
【図３】（ａ）（ｂ）：本考案の実施例によるスティック型容器を示した平面図である。
【図４】（ａ）（ｂ）：本考案の実施例によるスティック型容器を示した断面図である。
【図５】図３（ａ）のＡ−Ａ線及びＢ−Ｂ線についての断面図である。
【図６】（ａ）〜（ｃ）：本考案の実施例によるスティック型容器の開栓及び内容物取出方式を示した斜視図である。
【図７】従来の一般的なガム収納容器を示した斜視図である。
【図８】従来の一般的なガム収納容器を示した断面図である。
【考案を実施するための形態】
【００２０】
以下、添付図面に基づいて本考案の好適な実施例を説明する。
【００２１】
図１及び図２に示すように、本考案の実施例によるスティック型容器１００は、大別して外側の第１ケース１１０と内側の第２ケース１２０とからなる。
【００２２】
第１ケース１１０は所定の長さを持つ中空形のスティック型ケースで、その先端部には第２ケース１２０の先端部が出入する出入口１１１が形成される。
【００２３】
前記出入口１１１は略四角形の断面を持つ形状に形成され、第１ケース１１０の長手方向に沿って緩やかに変形され、略楕円形の断面を持つ第１ケース１１０の中間地点に連結される。
【００２４】
したがって、図２に示すように、第１ケース１１０はその先端部に出入口１１１に近接して略四角形の断面を持つ内部空間が形成され、この内部空間の後方即ち後端部側に略楕円形の断面を持つ内部空間が形成される。
【００２５】
添付図面の実施例において、前記第１ケース１１０は、その後端部に比べて先端部が外方（側方）に若干拡がった形状に形成されている。
【００２６】
そして、第１ケース１１０の後端部には、第２ケース１２０の後端部を露出させる開口部１１２が形成される。
【００２７】
前記開口部１１２は第１ケース１１０の後端部を部分的に開口させて、第１ケース１１０にスライド挿入された第２ケース１２０の後端部を露出可能な形状に設けられ、図２に示すように、第１ケース１１０に完全に挿入された第２ケース１２０の後端部が前記開口部１１２を介して第１ケース１１０の外方に突出するようになっている。
【００２８】
図４（ｂ）に示すように、前記開口部１１２は、その縁部が第１ケース１１０の後端部の上側から下側に向って斜めに形成される。よって、第１ケース１１０は上側（上端部）の長さより下側（下端部）の長さがより長く形成され、その結果、図４（ａ）に示すように、第１ケース１１０に完全に挿入された第２ケース１２０の後端部の上側の部分が前記開口部１１２を介して第１ケース１１０の外方に突出する。
【００２９】
また、第１ケース１１０の後端部には、開口部１１２の後端（つまり、第１ケース１１０の後端部の下側）に第１ケース１１０の長手方向に対して垂直方向に（つまり、第１ケース１１０の半径方向に）突出したストッパー１１３が形成される。
【００３０】
前記ストッパー１１３は、第１ケース１１０の内部にスライド挿入される第２ケース１２０の移動を停止させる機能を有する。
【００３１】
また、図１及び図４（ａ）（ｂ）に示すように、第１ケース１１０の先端部には、第１ケース１１０の内部にスライド挿入される第２ケース１２０の移動を停止させる係止段部１１４が形成される。
【００３２】
前記係止段部１１４は、第２ケース１２０が第１ケース１１０の内部においてスライドするとき、後述する第２ケース１２０の固定栓１２１の移動を制限して第２ケース１２０の移動を停止させる。
【００３３】
一方、第２ケース１２０は所定の大きさを持つ複数の内容物を収納する内部空間（収納空間）を持つスティック型ケースで、第１ケース１１０の内部に直線移動可能に組み立てられ、先端部が若干拡がるような構造を持つ第１ケース１１０とは異なり、先端部から後端部まで同一幅を持ち、略楕円形の断面を持つように形成されている。
【００３４】
図１〜図４（ａ）（ｂ）に示すように、前記第２ケース１２０は、その先端部に第１ケース１１０の出入口１１１を開閉する固定栓１２１が形成されている。
【００３５】
前記固定栓１２１は略四角板体形状に形成され、第２ケース１２０が第１ケース１１０の内部に完全に挿入されるとき、その周縁の外周面が第１ケース１１０の先端部の内周面、具体的には第１ケース１１０の出入口１１１の壁面に密着することになる。
【００３６】
第２ケース１２０は、使用者が第２ケース１２０をスライド移動させて第２ケース１２０の先端部を第１ケース１１０の外方に押し出すまで、前記固定栓１２１と出入口１１１の間に密着時に発生する摩擦力によって第１ケース１１０に挿入された状態を維持する。
【００３７】
また、第２ケース１２０の先端部には、第２ケース１２０の内部に収納した内容物を排出するための排出口１２２が形成されている。
【００３８】
前記排出口１２２は固定栓１２１に近接して第２ケース１２０の上端部に配置され、第１ケース１１０の先端部の壁面によって閉じられるようになっており、第１ケース１１０の出入口１１１の閉じた状態が開放されて第２ケース１２０の先端部が第１ケース１１０の外に押し出されるときに開かれる。このように開放された状態で第２ケース１２０を傾けて内容物を取り出すとき、第２ケース１２０の排出口１２２の下方に位置する内容物のみ排出されるようにするために、第２ケース１２０の排出口１２２は、内容物の大きさを考慮して第２ケース１２０の排出口１２２側に位置する内容物のみ排出可能なサイズに形成される。
【００３９】
これにより、第２ケース１２０は、内部に収納した複数の内容物を一回に少量ずつ排出することができるようになる。
【００４０】
そして、このような排出口１２２の大きさ、特に排出口１２２の前後長（前後にわたる長さ）を考慮して第１ケース１１０の開口部１１２の大きさを設定することができる。
【００４１】
一例として、前記開口部１１２は、排出口１２２の前後長と同一の前後長を持つように形成され、あるいは排出口１２２の前後長より更に長い前後長を持つように形成することができる。これにより、開口部１１２の外方に突出した第２ケース１２０の後端部を押し出して排出口１２２の閉じた状態を開放するとき、第２ケース１２０の先端部が第１ケース１１０の外方に適切な距離だけ押し出されることによって排出口１２２が開口される。
【００４２】
また、第２ケース１２０の後端部には、使用者が第２ケース１２０の先端部を第１ケース１１０の外方に押し出すときに使用するプッシュ部１２３が設けられている。
【００４３】
前記プッシュ部１２３は、使用者が第２ケース１２０を押し出して排出口１２２の閉じた状態を開放させるとき、第２ケース１２０を容易に押し出すことができるように、所定の傾きを持つ傾斜面として形成される。
【００４４】
また、図５に示すように、第２ケース１２０の内部には、内部空間を二分割して区画する第１傾斜壁１２４が設けられている。
【００４５】
前記第１傾斜壁１２４が第２ケース１２０の内部空間をその長手方向に対して左右両側に二分割することにより、第２ケース１２０の内部空間に内容物が第２ケース１２０の長手方向に沿って２列で配置可能になる。
【００４６】
この際、前記第１傾斜壁１２４は所定の傾きを持つように形成でき、また第１傾斜壁１２４から所定の間隔を置いて第２傾斜壁１２５が所定の傾きで形成できる。
【００４７】
第２ケース１２０の内部空間は楕円形の断面を持つ比較的平たい空間で、第１傾斜壁１２４と第２傾斜壁１２５とに区画されることにより、第１傾斜壁１２４及び第２傾斜壁１２５上にはそれぞれ１列の内容物を収納することができる空間のみが形成される。
【００４８】
したがって、第２ケース１２０の内部に収納された内容物は第１傾斜壁１２４と第２傾斜壁１２５によって二列で並んで配列されるとともに一方側に斜めに傾いた状態で支持されて配置される。
【００４９】
また、前記第１ケース１１０はその先端部の周縁（つまり、出入口１１１の端縁部の断面）が平面に形成されているので、起立した状態での保管及び陳列が可能である。
【００５０】
また、前記の第１ケース１１０と第２ケース１２０はプラスチックだけでなく金属や木材などの多様な材質によって製作できる。
【００５１】
図６（ａ）〜（ｃ）に示すように、図示しない人の指によって第１ケース１１０を摘まみ、第１ケース１１０の内部に組み込まれた第２ケース１２０の後端部を押し出せば、つまり第１ケース１１０の開口部１１２から露出及び突出した第２ケース１２０のプッシュ部１２３を押し出せば、第２ケース１２０の先端部が第１ケース１１０の外方に押し出され、第２ケース１２０の排出口１２２の閉じた状態が開放される。その後、排出口１２２を通じて内容物Ｃが排出できるように、第２ケース１２０を一方の側方に傾けてから内容物Ｃを取り出す。
【００５２】
この際、内容物Ｃは、第２ケース１２０の内部に２列で配列されている内容物Ｃの中で排出口１２２側に位置している２個のみ、つまり一度に食べられる量だけ排出される。
【００５３】
以上、本考案の特定の実施例について説明したが、これによって本考案が限定されるものではない。本考案は当業者によって多様に変形実施可能であり、本考案が属する技術分野で通常の知識を持った者が本考案の請求範囲内で実施することができる多様な形態の実施例のいずれも本考案の範囲に含まれる。
【符号の説明】
【００５４】
１００    スティック型容器
１１０    第１ケース
１１１    出入口
１１２    開口部
１１３    ストッパー
１１４    係止段部
１２０    第２ケース
１２１    固定栓
１２２    排出口
１２３    プッシュ部
１２４    第１傾斜壁
１２５    第２傾斜壁 
【図１】
0003202771.tif 000003
【図２】
0003202771.tif 000004
【図３】
0003202771.tif 000005
【図４】
0003202771.tif 000006
【図５】
0003202771.tif 000007
【図６】
0003202771.tif 000008
【図７】
0003202771.tif 000009
【図８】
0003202771.tif 000010